(57)【特許請求の範囲】
【請求項１】
外周に放熱フィン(18)を螺旋状に配設したパイプ(17)が蛇行状に構成配置されるスパイラルコンデンサ(16)を支持固定するための固定装置であって、
前記固定装置(20)は、所定幅からなる支持板(22)の一側面に、その延在方向に所定間隔離間して、夫々蛇行往復するスパイラルコンデンサ(16)における直線状に延在する延在部を把持する複数の保持部(24)が設けられ、
前記保持部(24)は、前記支持板(22)の長手方向に離間して該支持板(22)に突設されて、支持板(22)から離間する側で開放する一対の湾曲状保持片(30,31)で構成され、
前記任意の保持部(24)における一対の湾曲状保持片(30,31)間の支持板(22)側に、両湾曲状保持片(30,31)間にスパイラルコンデンサ(16)の前記延在部を嵌め込んだ際に前記パイプ(17)に設けた放熱フィン(18,18)間に嵌入するずれ防止用リブ(26)を、該一対の湾曲状保持片(30,31)間に亘って設けた
ことを特徴とするスパイラルコンデンサの固定装置。
【請求項２】
前記湾曲状保持片(30,31)は弾性変形可能な合成樹脂を材質として形成されると共に、前記保持部(24)を構成する両湾曲状保持片(30,31)の開放端部に、相互に離間する方向に折曲する案内片(30a,31a)を形成した請求項１記載のスパイラルコンデンサの固定装置。
【請求項３】
隣接する前記保持部(24,24)間に補強用リブ(28)を設けた請求項１または２記載のスパイラルコンデンサの固定装置。
【発明の詳細な説明】
【０００１】
【発明の属する技術分野】
本発明は、冷蔵庫等における冷却機構を構成するスパイラルコンデンサの固定装置に関し、更に詳細には、スパイラルコンデンサを冷蔵庫等の機械室内に蛇行状に構成配置するに際し、これを支持固定するためのスパイラルコンデンサの固定装置に関するものである。
【０００２】
【従来の技術】
従来より、冷蔵庫や冷凍庫等における冷却機構として、機械室の底部に圧縮機を配置し、この圧縮機の上方に、冷媒が流通するパイプを蛇行配置したコンデンサを配設する構成が採用されている。この場合、蛇行する前記コンデンサを、冷蔵庫等の内部に固定する手段として、パイプが円弧状に形成されたコンデンサの耳部を適宜保持する固定具を設けた構成からなるもの(実開昭５６−６３９６６号公報)や、蛇行するコンデンサの各パイプを係止する係止溝を夫々縦方向に多数設けた係止片を使用する構成からなるもの(実開昭５６−１３２５７１号公報)等が知られている。
【０００３】
【発明が解決しようとする課題】
しかしながら、前述した従来のコンデンサの固定手段においては、コンデンサの取付けに手間が掛かるため、取付け作業が面倒で時間が掛かるばかりでなく、衝撃や振動等により取付け位置がずれたりし、異常音の発生や冷却機構の故障の原因となる等の難点があった。
【０００４】
また、前述した何れの技術も、冷媒が流通するパイプを直接固定保持するものであって、パイプの外周に放熱フィンを螺旋状に配設したスパイラルコンデンサを対象とするものではなかった。すなわち、前記の技術では、スパイラルコンデンサの取付け作業の容易化や、位置ずれの防止を図ることは困難である。
【０００５】
【発明の目的】
本発明は、前述した従来の技術に内在している前記欠点に鑑み、これを好適に解決するべく提案されたものであって、スパイラルコンデンサを位置ずれすることなく確実に支持固定し得ると共に、その取付け作業が容易なスパイラルコンデンサの固定装置を提供することを目的とする。
【０００６】
【課題を解決するための手段】
前記課題を克服し、所期の目的を好適に達成するため、本発明に係るスパイラルコンデンサの固定装置は、
外周に放熱フィンを螺旋状に配設したパイプが蛇行状に構成配置されるスパイラルコンデンサを支持固定するための固定装置であって、
前記固定装置は、所定幅からなる支持板の一側面に、その延在方向に所定間隔離間して、夫々蛇行往復するスパイラルコンデンサにおける直線状に延在する延在部を把持する複数の保持部が設けられ、
前記保持部は、前記支持板の長手方向に離間して該支持板に突設されて、支持板から離間する側で開放する一対の湾曲状保持片で構成され、
前記任意の保持部における一対の湾曲状保持片間の支持板側に、両湾曲状保持片間にスパイラルコンデンサの前記延在部を嵌め込んだ際に前記パイプに設けた放熱フィン間に嵌入するずれ防止用リブを、該一対の湾曲状保持片間に亘って設けたことを特徴とする。
【０００７】
【発明の実施の形態】
次に、本発明に係るスパイラルコンデンサの固定装置につき、好適な実施例を挙げて、添付図面を参照しながら以下説明する。
【０００８】
図１〜図３は、本発明に係るスパイラルコンデンサの固定装置の一実施例を示す概略構成図である。すなわち、図１〜図３において、参照符号２０は固定装置を示し、この固定装置２０は、所定幅からなる縦長の支持板２２からなり、この支持板２２の一側面に、上下方向に所定間隔離間して、夫々蛇行往復するスパイラルコンデンサ１６を把持するための複数の保持部２４が設けられている。
【０００９】
前記各保持部２４は、前記支持板２２の一側面に所定間隔離間して突設した一対の湾曲状の保持片３０,３１により構成されて、支持板２２から離間する側で開放している。両湾曲状保持片３０,３１は、弾性変形可能な合成樹脂等を材質とすると共に、両湾曲状保持片３０,３１により形成される保持部２４は、半円弧以上の円弧に設定され、スパイラルコンデンサ１６が保持部２４に嵌め込まれたときには、両湾曲状保持片３０,３１で該コンデンサ１６を確実に把持して簡単に外れないよう構成される。また、支持板２２の上下端に夫々形成される保持部２４において、前記一対の湾曲状保持片３０,３１間に跨がるようにして、ずれ防止用リブ２６が設けられている。なお、ずれ防止用リブ２６は、上下端の保持部２４に限らず、任意位置の保持部２４に設けることができる。更に、対をなす湾曲状保持片３０,３１の開放端部には、相互に離間する方向に折曲された案内片３０ａ,３１ａが形成され、保持部２４へのスパイラルコンデンサ１６の嵌め込みを容易に行ない得るよう構成される。更にまた、本実施例の固定装置２０においては、前記支持板２２の延在方向に隣接する保持部２４,２４間の離間部中央に、縦方向に延在する補強用リブ２８が設けられている。なお、図２において符号２９は、支持板２２の上下端部に設けられた保持部２４の外側に形成された補強用リブを示す。
【００１０】
このように構成された本実施例におけるスパイラルコンデンサ１６の固定装置２０は、冷蔵庫の機械室内において、図４および図５に示すように構成配置される。すなわち、機械室内の底部に圧縮機１０が設けられ、この圧縮機１０の上方に蒸発皿１２および複数(実施例では２基)の固定装置２０により支持固定されたスパイラルコンデンサ１６が、順次縦型に構成配置される。なおこの場合、各固定装置２０は、機械室内の適所に適宜固定具を使用して予め固定配置される。またスパイラルコンデンサ１６は、冷媒が流通するパイプ１７の外周に放熱フィン１８を螺旋状(図４に一部簡略化して図示)に配設したものであって、固定装置２０の前記保持部２４の内径寸法は、該放熱フィン１８の外径寸法と略同一に設定してある。そして、このスパイラルコンデンサ１６の横方向に延在する各延在部(円弧状に折曲される耳部間)を、各固定装置２０の保持部２４で把持するよう構成される。また保持部２４にスパイラルコンデンサ１６を嵌め込んだ際に、図６および図７に示す如く、パイプ１７の延在方向に隣接する放熱フィン１８,１８の間に、前記ずれ防止用リブ２６が嵌入して、該コンデンサ１６の位置ずれを防止するようになっている。
【００１１】
【実施例の作用】
次に、実施例に係るスパイラルコンデンサの固定装置の作用につき、以下説明する。図４および図５に示す如く、前記固定装置２０を、機械室内の適所に適宜固定具を使用して、各保持部２４の開口部が外側を向く状態で予め固定配置する。この状態で、スパイラルコンデンサ１６の各延在部を、夫々保持部２４に外側から嵌め込むだけで、該コンデンサ１６は簡単に支持固定される。また各保持部２４を構成する湾曲状保持片３０,３１には案内片３０ａ,３１ａが形成されているから、両案内片３０ａ,３１ａを案内としてコンデンサ１６を保持部２４へ好適に導びくことができ、その取り付けに手間取ることはない。
【００１２】
また、前記保持部２４にスパイラルコンデンサ１６の延在部が嵌め込まれた際には、図６および図７に示す如く、パイプ１７の延在方向に隣接する放熱フィン１８,１８の間に、該保持部２４に設けたずれ防止用リブ２６が嵌入される。すなわち、ずれ防止用リブ２６に放熱フィン１８,１８が当接することで、スパイラルコンデンサ１６のパイプ延在方向への移動は規制され、この結果、該コンデンサ１６は、前記固定装置２０に支持固定した後は、衝撃や振動によってずれ等の移動を生じることは確実に防止される。
【００１３】
なお、実施例の固定装置２０では、保持部２４の夫々隣接する離間部中央に補強用リブ２８を設けてあるから、支持板２２の反りや曲り等の変形を確実に防止することができ、スパイラルコンデンサ１６の支持固定状態を常に安定化させることができる。
【００１４】
以上、本発明の好適な実施例について説明したが、本発明は実施例に限定されることなく、本発明の精神を逸脱しない範囲内において、多くの設計変更が可能である。例えば、実施例ではスパイラルコンデンサを縦方向に蛇行状に構成配置したが、横方向に蛇行状に構成配置したものであってもよく、あるいは水平面上に配置したものであってもよい。
【００１５】
【発明の効果】
以上説明した如く、本発明に係るスパイラルコンデンサの固定装置では、スパイラルコンデンサに設けた放熱フィン間に嵌入し得るずれ防止用リブを保持部に設けたことで、該コンデンサを移動しないようにしっかりと支持固定することができる。また、保持部を一対の湾曲状に突設した保持片により構成したことで、スパイラルコンデンサの取り付け作業も簡単となる。更に、保持部の夫々隣接する離間部に補強用リブを設けたから、固定装置の強度が向上し、スパイラルコンデンサを安定して固定保持することができる。
【図面の簡単な説明】
【図１】  本発明に係るスパイラルコンデンサの固定装置の一実施例を示す概略正面図である。
【図２】  図１に示す固定装置の右側面図である。
【図３】  図２に示す固定装置の要部拡大側面図である。
【図４】  本発明に係るスパイラルコンデンサの固定装置を冷蔵庫の機械室内に構成配置した詳細構造を示す側面図である。
【図５】  図４に示す冷蔵庫の要部正面図である。
【図６】  固定装置の保持部にスパイラルコンデンサを嵌め込んだ状態を示す要部側面図である。
【図７】  固定装置の保持部にスパイラルコンデンサを嵌め込んだ状態を示す要部正面図である。
【符号の説明】
１６ スパイラルコンデンサ，１７ パイプ，１８ 放熱フィン
２０ 固定装置，２２ 支持板，２４ 保持部，２６ ずれ防止用リブ
２８ 補強用リブ，３０ 湾曲状保持片，３０ａ 案内片，３１ 湾曲状保持片
３１ａ 案内片
【図１】
0004680420.tif 000002
【図２】
0004680420.tif 000003
【図３】
0004680420.tif 000004
【図４】
0004680420.tif 000005
【図５】
0004680420.tif 000006
【図６】
0004680420.tif 000007
【図７】
0004680420.tif 000008